(57)【特許請求の範囲】
【請求項１】
照明灯が設けられる場所に嵌め込まれる筐体部（１０）と、前記筐体部（１０）に載置され、２段状に形成されるＰＣＢ部（２０）と、前記ＰＣＢ部（２０）と前記筐体部（１０）とを連結及び固定し、前記ＰＣＢ部（２０）に電源を供給するコネクター部（３０）と、前記ＰＣＢ部（２０）の上部に配設されて前記ＰＣＢ部（２０）に搭載されたＬＥＤを保護する蓋体部（４０）と、を備え、
前記筐体部（１０）は蓋体固定部（１１３）を有し、前記蓋体部（４０）には係合突部（４２）が形成されて前記筐体部（１０）に前記蓋体部（４０）が固定され、
前記ＰＣＢ部（２０）は、サイズが異なる円形状の多数のＰＣＢを備えて多段状に設けられ、前記第１のＰＣＢ（２１）及び第２のＰＣＢ（２２）の側面には前記蓋体固定部（１１３）と係合される多数の蓋体固定部係合溝（２１３、２２３）が形成されることを特徴とするＬＥＤ照明灯。
【請求項２】
前記筐体部（１０）は、上側中央部に前記ＰＣＢ部（２０）が載置されるＰＣＢ嵌込部（１１）と、前記ＰＣＢ嵌込部（１１）の下部に延設され、底面に多数の通風口（１２２）が設けられる基部（１２）と、を備え、
前記ＰＣＢ嵌込部（１１）は、前記筐体部（１０）の上側に配設され、側面に配設されて前記基部（１２）に嵌込したコネクター部（３０）を外部に露出させる溝部（１１１）と、内側に配設されて前記ＰＣＢ部（２０）が載置されるＰＣＢ載置部（１１２）と、前記ＰＣＢ載置部（１１２）の上部に配設されて前記蓋体部（４０）が固定される蓋体固定部（１１３）と、を備えることを特徴とする請求項１に記載のＬＥＤ照明灯。
【請求項３】
前記蓋体部（４０）は前記筐体部（１０）の上側に載置されるものであり、下側に配設されて前記ＰＣＢ部（２０）のコネクター固定通孔（２１１）を外部に露出させる多数の溝部（４１）と、内側に配設されて前記筐体部（１０）の蓋体固定部（１１３）と係合される係合突部（４２）と、前記蓋体部（４０）の底面から所定の高さに形成され、前記第１のＰＣＢ（２１）の外周面と係合される係止爪（４３）と、を備え、
前記蓋体部（４０）の内側上部には上面が凹状に形成されてＬＥＤ（２３）から発せられる光を集める集光部（４４）が形成されることを特徴とする請求項１に記載のＬＥＤ照明灯。
【請求項４】
前記集光部（４４）は、ＰＣＢ部（２０）の上側に搭載されるＬＥＤ（２３）から発せられる光を集めるが、上面が凹状に形成されて発せられる光を広く拡散させることを特徴とする請求項３に記載のＬＥＤ照明灯。
【請求項５】
前記筐体部（１０）の外面には一対の係止突部（１３）が形成され、前記係止突部（１３）のサイズを異ならせたり、前記コネクター部（３０）のサイズ及び色を異ならせたりして前記筐体部（１０）の極性（＋．−）を表示することを特徴とする請求項１に記載のＬＥＤ照明灯。
【発明の詳細な説明】
【技術分野】
【０００１】
本発明は、ＬＥＤ照明灯に係り、さらに詳しくは、前記筐体部は蓋体固定部を有し、前記蓋体部には係合突部が形成されて前記蓋体固定部に前記係合突部が嵌着されるが、前記係合突部の底面に接着剤が塗布されて前記蓋体固定部に嵌着されることにより一層強固な係合が図れるＬＥＤ照明灯に関する。
【背景技術】
【０００２】
一般に、計器板、スイッチの内部に設けられてバックライト用に用いられたり、白熱灯、蛍光灯の形で車両の内外部に取り付けられて物体を識別しやすくする照明用に用いられるものとして、例えば、車両室内灯、番号板を夜間に識別しやすくするナンバー灯、トランク灯、サイドミラー灯、フェンダー灯、点滅灯などが挙げられるが、これらは、先ず、第一に、様々な形状のフィラメント電球を用いたものであり、寿命が非常に短く（１００〜１、０００時間）、熱が多く（手が触れると火傷をする）、電力使用量が多く（５〜３０Ｗａｔｔ）、ＬＥＤ照明に比べて暗いという欠点を有している。
【０００３】
また、第二に、メタルＰＣＢに高輝度ＬＥＤを用いたものがあるが、メタルＰＣＢは非常に高価であるため、発熱量が多いＬＥＤと抵抗のみをメタルＰＣＢから製作し、残りの回路部分は通常のＰＣＢから製作することを余儀なくされるため既存の製品に比べて高価であり、コントロール部を別設することを余儀なくされるためアフターサービス（Ａ／Ｓ）時に全体を交換しなければならないという問題があった。
【０００４】
この理由から、上記の問題を解消するために、通常のＰＣＢを用いてソケット型に製作したが、熱制御技術の不足により取り付けられたＬＥＤ特性の４０％（ＬＥＤ定格電流は３５０ｍＡであり、１５０ｍＡのみを用いている）の光量のみを用いたが、この場合も、高熱の発生により別途のレフレクターを用いて放熱しなければならないという問題点があった。
【特許文献１】韓国特許第１０−０８３０４１７号公報
【発明の概要】
【発明が解決しようとする課題】
【０００５】
本発明は上記の問題点を解消するために案出されたものであり、その目的は、筐体部の上側に蓋体部を設けてＰＣＢ部に形成されたＬＥＤから発せられる光を拡散させることのできるＬＥＤ照明灯を提供することである。
【０００６】
本発明の他の目的は、筐体部として既存のケース射出物をそのまま用いてもよいことから資材費を節減することができ、しかも、前記筐体部の底面に多数の通孔を設けて放熱効果を増大させることのできるＬＥＤ照明灯を提供することである。
【０００７】
本発明のさらに他の目的は、無極性回路回路が形成されるＰＣＢを二段状に用いて狭い空間でも多くの部品を搭載することができ、２つのＰＣＢが所定の間隔を隔てて形成されることから前記ＰＣＢに搭載されたＬＥＤから発せられる多量の熱を容易に放出することができる他、無極性回路が用いられることからＬＥＤが使用し易いＬＥＤ照明灯を提供することである。
【課題を解決するための手段】
【０００８】
上記の目的を達成するために、本発明に係るＬＥＤ照明灯は、照明灯が設けられる場所に嵌め込まれる筐体部と、前記筐体部に載置され、２段状に形成されるＰＣＢ部と、前記ＰＣＢ部と前記筐体部とを連結及び固定し、前記ＰＣＢ部に電源を供給するコネクター部と、前記ＰＣＢ部の上部に配設されて前記ＰＣＢ部に搭載されたＬＥＤを保護する蓋体部と、を備え、前記筐体部は蓋体固定部を有し、前記蓋体部には係合突部が形成されて前記筐体部に前記蓋体部が固定されることを特徴とする。
【０００９】
好ましくは、前記筐体部は、上側中央部に前記ＰＣＢ部が載置されるＰＣＢ嵌込部と、前記ＰＣＢ嵌込部の下部に延設され、底面に多数の通風口が設けられる基部と、を備え、前記ＰＣＢ嵌込部は、前記筐体部の上側に配設され、側面に配設されて前記基部に嵌込したコネクター部を外部に露出させる溝部と、内側に配設されて前記ＰＣＢ部が載置されるＰＣＢ載置部と、前記ＰＣＢ載置部の上部に配設されて前記蓋体部が固定される蓋体固定部と、を備える。
【００１０】
また、好ましくは、前記ＰＣＢ部は、サイズが異なる円形状の多数のＰＣＢを備えて多段状に設けられ、前記第１のＰＣＢ及び第２のＰＣＢの側面には前記蓋体固定部と係合される多数の蓋体固定部係合溝が形成される。
【００１１】
さらに、好ましくは、前記蓋体部は前記筐体部の上側に載置されるものであり、下側に配設されて前記ＰＣＢ部のコネクター固定通孔を外部に露出させる多数の溝部と、内側に配設されて前記筐体部の蓋体固定部と係合される係合突部と、前記蓋体部の底面から所定の高さに形成され、前記第１のＰＣＢの外周面と係合される係止爪と、を備え、前記蓋体部の内側上部には上面が凹状に形成されてＬＥＤから発せられる光を集める集光部が形成される。
【００１２】
さらに、好ましくは、前記集光部は、ＰＣＢ部の上側に搭載されるＬＥＤから発せられる光を集めるが、上面が凹状に形成されて発せられる光を広く拡散させる。
【００１３】
さらに、好ましくは、前記筐体部の外面には一対の係止突部が形成され、前記係止突部のサイズを異ならせたり、前記コネクター部のサイズ及び色を異ならせたりして前記筐体部の極性を表示する。
【図面の簡単な説明】
【００１４】
【図１】図１は、従来のＬＥＤ照明灯の斜視図である。
【図２】図２は、本発明の一実施形態によるＬＥＤ照明灯の斜視図である。
【図３】図３は、本発明の一実施形態によるＬＥＤ照明灯の分解斜視図である。
【図４】図４は、本発明の一実施形態によるＬＥＤ照明灯の筐体部の斜視図である。
【図５】図５は、本発明の一実施形態によるＬＥＤ照明灯のＰＣＢの斜視図である。
【図６】図６は、本発明の一実施形態によるＬＥＤ照明灯のコネクター部の斜視図である。
【図７】図７は、本発明の一実施形態によるＬＥＤ照明灯の蓋体部の斜視図である。
【図８】図８は、本発明の一実施形態によるＬＥＤ照明灯の蓋体部の背面図である。
【図９】図９は、本発明の一実施形態によるＬＥＤ照明灯の蓋体部の断面図である。
【図１０】図１０は、本発明の他の実施形態によるＬＥＤ照明灯の蓋体部の背面図である。
【図１１】図１１は、本発明の他の実施形態によるＬＥＤ照明灯の蓋体部の断面図である。
【発明を実施するための形態】
【００１５】
以下、添付図面に基づき、本発明の好適な実施形態について詳細に説明する。先ず、各図面の構成要素に参照符号を附するに当たって、同じ構成要素にはたとえ異なる図面の上に表示されているとしてもできる限り同じ符号を附していることに留意すべきである。なお、本発明を説明するに当たって、関連する公知の構成または機能に関する具体的な説明が本発明の要旨を曖昧にする虞があると認められる場合にはその詳細な説明は省略する。
【００１６】
図２は、本発明の一実施形態によるＬＥＤ照明灯の斜視図であり、図３は、本発明の一実施形態によるＬＥＤ照明灯の分解斜視図であり、図４は、本発明の一実施形態によるＬＥＤ照明灯の筐体部の斜視図であり、図５は、本発明の一実施形態によるＬＥＤ照明灯のＰＣＢの斜視図であり、図６は、本発明の一実施形態によるＬＥＤ照明灯のコネクター部の斜視図であり、図７は、本発明の一実施形態によるＬＥＤ照明灯の蓋体部の斜視図であり、図８は、本発明の一実施形態によるＬＥＤ照明灯の蓋体部の背面図であり、図９は、本発明の一実施形態によるＬＥＤ照明灯の蓋体部の断面図である。
【００１７】
図２から図９を参照すると、本発明は、車両の内外部に取り付けられて物体を識別し易くする照明灯において、照明灯が設けられる場所に嵌め込まれる筐体部１０と、前記筐体部１０に載置され、２段状に形成されるＰＣＢ部２０と、前記ＰＣＢ部２０と前記筐体部１０とを連結及び固定し、前記ＰＣＢ部２０に電源を供給するコネクター部３０と、前記ＰＣＢ部２０の上部に配設されて前記ＰＣＢ部２０に搭載されたＬＥＤを保護する蓋体部４０と、を備える。
【００１８】
前記筐体部１０は、図２から図４に示すように、上側中央部に前記ＰＣＢ部２０が載置されるＰＣＢ嵌込部１１と、前記ＰＣＢ嵌込部１１の下部に延設され、底面に多数の通風口１２２が設けられる基部１２と、を備え、前記筐体部１０の外側には、照明灯の外付けケースとの係合を強固にする係止突部１３がさらに配設される。
前記ＰＣＢ嵌込部１１は、前記筐体部１０の上側に配設され、側面に配設されて前記基部１２に嵌込したコネクター部３０を外部に露出させる溝部１１１と、内側に配設されて前記ＰＣＢ部２０が載置されるＰＣＢ載置部１１２と、前記ＰＣＢ載置部１１２の上部に配設されて前記蓋体部４０が固定される蓋体固定部１１３と、を備える。
【００１９】
前記溝部１１１は所定の間隔を隔てて形成されるものであり、前記基部１２の一方の側に嵌入するコネクター部３０が外部に露出されて外部から流入する電源を印加して前記コネクター部３０に固定されたＰＣＢ部２０に電源を供給する。
【００２０】
前記ＰＣＢ載置部１１２は前記ＰＣＢ嵌込部１１と基部１２との間に形成されるものであり、多段状に嵌入するＰＣＢのうち底面に配設されるＰＣＢが載置される。
【００２１】
前記蓋体固定部１１３は前記ＰＣＢ載置部１１２の上部に配設され、内側に嵌入通孔１１３１が形成される。前記嵌入通孔１１３１は所定の深さを有しており、前記蓋体部４０の係合突部４２が嵌入して前記筐体部１０に前記蓋体部４０を固定する。
【００２２】
前記基部１２は前記ＰＣＢ嵌込部１１の下側に形成されるものであり、所定の深さを有していて前記ＰＣＢ部２０から放出される熱を循環させる熱循環通路１２１と、前記熱循環通路１２１と連通されて熱が外部に放出されるように前記基部１２の底面に形成された多数の通風口１２２と、前記基部１２の側面に形成され、前記コネクター部３０が嵌入するコネクター嵌込部１２３と、を備える。
【００２３】
前記コネクター嵌込部１２３は前記コネクター部３０が嵌入するものであり、前記熱循環通路１２１との間に「Ｔ」字状の隔壁１２３１が形成されていて嵌入するコネクター部３０を押し付けて前記コネクター部３０が前記基部１２から離脱することを防ぐ。
【００２４】
前記係止突部１３は筐体部１０の外面に互いに反対の方向を向くように一対配設され、前記一対の係止突部１３の各サイズを異ならせて前記筐体部１０の極性（＋．−）を表示する。
【００２５】
前記ＰＣＢ部２０は、図５に示すように、サイズが異なる円形状の２つの第１のＰＣＢ２１と第２のＰＣＢ２２を備え、前記第１のＰＣＢ２１と第２のＰＣＢ２２を所定の間隔だけ隔てることにより放熱効果が増大される。なお、２つの第１のＰＣＢ２１及び第２のＰＣＢ２２に部品を分けて実装することにより、一つのＰＣＢに多くの部品を実装して広い空間を必要としていた従来の技術とは異なり、狭い空間でも便利に使用することができるという効果が得られる。
【００２６】
前記第１のＰＣＢ２１の上部にはＬＥＤ２３が搭載され、前記ＬＥＤは前記ＰＣＢ部２０に形成された無極性回路により＋、−の極性とは無関係に接続される。
【００２７】
また、上部に配設される前記第１のＰＣＢ２１は前記第２のＰＣＢ２２よりも大きく形成され、一方の側に後述するコネクター部４０が固定されるコネクター固定通孔２１１が設けられる。このため、前記コネクター部４０から流入する電源が前記第１のＰＣＢ２１及び第２のＰＣＢ２２に流れる。
【００２８】
さらに、前記第１のＰＣＢ２１及び第２のＰＣＢ２２の側面には前記蓋体固定部１１３と係合される多数の蓋体固定部係合溝２１３、２２３が形成される。
【００２９】
前記コネクター部３０は前記ＰＣＢ部２０を前記筐体部１０に固定するだけではなく、前記ＰＣＢ部２０に電源を供給するものであり、前記筐体部１０の内側に形成されたコネクター嵌込部１２３に前記コネクター部３０が嵌着される。
【００３０】
前記コネクター部３０は、図６に示すように、上側には配設されて前記第１のＰＣＢ２１のコネクター固定通孔２１１に嵌入する突部３１を有し、前記コネクター部３０の側面には、先端部や外側に突出され、外部から流入する電源を印加する電源流入部３２が設けられる。
【００３１】
さらに、前記コネクター部３０は、前記筐体部１０の両側に嵌入するものであり、前記コネクター部３０と別のコネクター部３０のサイズを異ならせたり前記コネクター部３０の色を異ならせたりして極性（＋．−）を表示する。
【００３２】
前記蓋体部４０は前記筐体部１０の上側に載置されるものであり、図７から図９に示すように、下側に配設されて前記ＰＣＢ部２０のコネクター固定通孔２１１を外部に露出させる多数の溝部４１と、内側に配設されて前記筐体部１０の蓋体固定部１１３と係合される係合突部４２と、前記蓋体部４０の底面から所定の高さに形成され、前記第１のＰＣＢ２１の外周面と係合される係止爪４３と、を備え、前記蓋体部４０の内側上部には上面が凹んだ集光部４４が形成されて前記第１のＰＣＢ２１の上側に搭載されるＬＥＤ２３から発せられる光を集めるが、上面が凹んでいるため発せられる光を広く拡散させることができ、前記集光部４４の先端部には斜面４５が形成されて集光部４４により広く拡散される光をさらに広く拡散させることができる。
【００３３】
加えて、前記係合突部４２と前記筐体部１０の蓋体固定部１１３との係合に際しては、前記係合突部４２の底面に接着剤を塗布したり超音波処理を施したりして前記蓋体固定部１１３に嵌入することにより、一層強固な係合が図れる。
【００３４】
一方、前記蓋体部４０は、ＬＥＤ組立体が嵌入する外部ケースとの干渉を避けるために、図１０及び図１１に示すように、前記蓋体部４０の上側高さを増やしてもよい。
【００３５】
以上の説明は本発明の技術思想を例示的に説明したものに過ぎず、本発明が属する技術分野において通常の知識を有する者であれば、本発明の本質的な特性から逸脱しない範囲内で種々の修正及び変形が可能であるといえる筈である。よって、本発明に開示された実施形態は本発明の技術思想を限定するためのものではなく、単に説明するためのものであり、このような実施形態により本発明の技術思想の範囲が限定されることはない。本発明の保護範囲は請求の範囲により解釈されるべきであり、これと同等な範囲内にあるあらゆる技術思想は本発明の権利範囲に含まれるものと解釈されるべきである。
【産業上の利用可能性】
【００３６】
本発明によれば、下記の効果が得られる。
本発明は、自動車の車両室内灯、番号板を夜間に識別し易くするナンバー灯、トランク灯、サイドミラー灯、フェンダー灯、点滅灯などのように車両の内外部に取り付けられて物体を識別し易くする照明灯に関するものであり、蓋体部の係合突部と前記筐体部の蓋体固定部との係合に際して、前記係合突部の底面に接着剤を塗布して前記蓋体固定部に嵌入することにより、一層強固な係合が図れ、ＰＣＢに嵌入するＬＥＤの極性とは無関係に使用できるようにＰＣＢに無極性回路が形成されるように所要部品を実装するが、前記部品を上部と下部に分けて２つのＰＣＢに搭載することにより狭い空間でも多数の部品を搭載することができ、前記ＰＣＢが所定の間隔を隔てて形成されるので放熱性が高まり、筐体部の底面に多数の通孔を形成するので前記ＰＣＢ部から放出される熱の循環が行われることから発熱効果が増大される。
【００３７】
また、前記２段状に形成されたＰＣＢは単にコネクター部を用いて筐体部に嵌設して従来より用いられてきた照明灯のケースにも使用できることからコストが節減され、しかも、構成が単純であることから部品の組付けが簡単に行われる。
【符号の説明】
【００３８】
１０：筐体部
２０：ＰＣＢ部
３０：コネクター部
４０：蓋体部
【図１】
0005788607.tif 000002
【図２】
0005788607.tif 000003
【図３】
0005788607.tif 000004
【図４】
0005788607.tif 000005
【図５】
0005788607.tif 000006
【図６】
0005788607.tif 000007
【図７】
0005788607.tif 000008
【図８】
0005788607.tif 000009
【図９】
0005788607.tif 000010
【図１０】
0005788607.tif 000011
【図１１】
0005788607.tif 000012